(57)【要約】【課題】比較的大形である場合においても全体を軽量化することができ、しかも大きさが異なる表示装置間で二つの壁掛具本体を共通化できる壁掛けタイプの表示装置を提供する。【解決手段】画像を表示する表示部１の後側の上下部にその上下端部が固定され、途中に壁掛具に取着される被取着部３１を有する壁掛具Ａを、表示部１の横方向に離隔して並置する二つの補強板２，２と、その上下方向の途中が補強板２，２と反対側へ凸になる長板部に二つの被取着部３１，３１を上下に離隔して有し、上下端部を補強板２，２に衝合して該補強板２，２の夫々に取付ける二つの壁掛具本体３Ｌ，３Ｒとを備える構成とした。【選択図】図４
2007206646.tif 000002
【特許請求の範囲】
【請求項１】
前側に表示面を有し、前面視矩形をなす表示部と、該表示部の後側の上下部にその上下端部が固定され、途中に壁体に取着される被取着部を有する壁掛具とを備えた表示装置において、前記壁掛具は、前記表示部の横方向に離隔して並置され、前記表示部を補強する二枚の補強板と、前記被取着部を上下に離隔して有し、前記補強板の夫々に取付けられる二つの壁掛具本体とを備えることを特徴とする表示装置。
【請求項２】
前記壁掛具本体の夫々は同一形状で、且つ長板状のベース部材と、前記表示部の横方向中心に対し前記ベース部材の夫々に対称的に設けられた前記被取着部とを有する請求項１記載の表示装置。
【請求項３】
前記ベース部材の夫々は上下に離隔した二つの位置に、横方向に離隔して二つの貫通孔を有し、一方のベース部材の横方向一側の貫通孔に前記被取着部を設けてあり、他方のベース部材の横方向他側の貫通孔に前記被取着部を設けてある請求項２記載の表示装置。
【請求項４】
前記ベース部材の夫々は、前記被取着部が前記横方向の一側又は他側に設けてあることを示す識別部を有する請求項３記載の表示装置。
【請求項５】
前記ベース部材の夫々は、横方向両側から後方へ延出され、且つ横方向両側で上下の長さが異なる二つの凸片と、該凸片の間に開設された孔とを有する請求項２乃至４のいずれか一つに記載の表示装置。
【請求項６】
前記ベース部材の夫々は、上下端部間の横方向両側から後方へ延出された第１及び第２のリブと、該第１及び第２のリブの上下に離隔した二つの位置で欠除されたリブ欠除部と、該リブ欠除部の夫々の間で上下長さが異なる二つの凸片とを有する請求項２乃至４のいずれか一つに記載の表示装置。
【請求項７】
前記ベース部材の夫々は、前記二つのリブ欠除部の横方向内側で前記第１及び第２のリブと反対方向へ窪み、前記二つのリブ欠除部の上下間隔より長い長さの補強凹溝を有する請求項６記載の表示装置。
【発明の詳細な説明】
【技術分野】
【０００１】
本発明は液晶表示装置、プラズマ表示装置等の表示装置に関する。
【背景技術】
【０００２】
画像を表示する表示面を前側に有する液晶テレビ、プラズマテレビ等の表示装置は、床置きタイプと壁掛タイプとがある。
床置きタイプの表示装置は、前側に表示面を有する表示部の後側を覆うキャビネットの上下部にその上下端部が固定され、横方向に離隔して並置された二つのブラケットと、該ブラケットの夫々に取着される二つのスタンドとを備える（例えば、特許文献１参照）。
【０００３】
壁掛タイプの表示装置は、前側に表示面を有する表示部の後側を覆うキャビネットの上下部にその上端部及び下端部が固定され、途中に壁掛具に取着される四つの被取着部を有する金属製の一枚の壁掛板を備える（例えば、特許文献２参照）。
【０００４】
ところで、壁掛タイプの表示装置は、壁掛板に設けられる被取着部の上下間隔、及び横方向間隔がＶＥＳＡ（ベサ）規格（Video Electoronics Standard Association）により７５mm×７５mm、又は、１００mm×１００mm、又は、２００mm×２００mmに規格化されている。
【特許文献１】特開２００５−３０８７９５号公報
【特許文献２】特開２００５−３５２３３２号公報
【発明の開示】
【発明が解決しようとする課題】
【０００５】
ところが、壁掛タイプにあっては、上下及び横方向に離隔する四つの被取着部が一枚の壁掛板に設けられているため、比較的大形の表示装置である場合、２００mm×２００mmに規格化された四つの被取着部を、剛性を有し、且つその上下端部がキャビネットの上下部に固定される一枚の壁掛板に設ける必要がある。従って、その上端部及び下端部がキャビネットの上下部に固定される一枚の壁掛板が大形となり、壁掛板の重量が増加、ひいては表示装置の重量が増加することになる。
【０００６】
ところで、前記壁掛板による表示装置の重量増加を軽減するには、特許文献１に記載された床置タイプのように二つの壁掛板を横方向に離隔して並置することが考えられる。しかし、表示装置が大形化する場合、横方向及び上下方向の長さが長くなるため、キャビネットの上下長さとほぼ等しい長さに形成され、且つその長手方向の途中にＶＥＳＡ規格の上下間隔で二つの被取着部が設けられる二つの壁掛板の板厚を増加し、横幅を広くして壁掛板の夫々の剛性を全長に亘って高める必要があり、それほど軽量化することができない。また、異なる大きさの表示装置に対応した長さの壁掛板が夫々必要であり、壁掛板の汎用性がなく、コストを低減し難いという問題がある。
【０００７】
本発明は斯かる事情に鑑みてなされたものであり、主たる目的は壁掛具を、表示部の横方向に離隔して並置する二つの補強板と、被取着部を上下に離隔して有し、前記補強板の夫々に取着する二つの壁掛具本体とを備える構成とすることにより、比較的大形である場合においても全体を軽量化することができ、しかも大きさが異なる表示装置間で二つの壁掛具本体を共通化できる壁掛けタイプの表示装置を提供することにある。
【０００８】
また、他の目的は壁掛具本体の夫々を同一形状のベース部材と、表示部の横方向中心に対しベース部材の夫々に対称的に設けられた被取着部とを有する構成とすることにより、大きさが異なる表示装置の壁掛具本体のベース部材を量産することができる表示装置を提供することにある。
【０００９】
また、他の目的はベース部材の上下に離隔した二つの位置に、横方向に離隔して二つの貫通孔を設け、一方のベース部材の横方向一側の貫通孔と、他方のベース部材の横方向他側の貫通孔とに被取着部を設けることにより、大きさが異なる表示装置の壁掛具本体を量産することができる表示装置を提供することにある。
【００１０】
また、他の目的は被取着部がベース部材の横方向の一側又は他側に設けてあることを示す識別部を設けることにより、壁掛具本体の組込間違いを防ぐことができる表示装置を提供することにある。
【００１１】
また、他の目的は壁掛具本体に、横方向両側から後方へ延出され、且つ横方向両側で上下の長さが異なる二つの凸片と、該凸片の間に開設された孔とを設けることにより、適宜の部品の位置、及び方向性を正確に決めることができる表示装置を提供することにある。
【００１２】
また、他の目的はベース部材の上下端部間の横方向両側から後方へ延出されたリブと、該リブの上下に離隔した二つの位置で欠除されたリブ欠除部と、該リブ欠除部の夫々の間で上下長さが異なる二つの凸片とを設けることにより、ベース部材の剛性を高めることができるとともに、凸片を有する割に構造を簡素にできる表示装置を提供することにある。
【００１３】
また、他の目的は二つのリブ欠除部の横方向内側で前記リブと反対方向へ窪み、二つのリブ欠除部の上下間隔より長い長さの補強凹溝をベース部材に設けることにより、リブ欠除部間に凸片を設けたに拘らず高剛性の壁掛具本体を得ることができる表示装置を提供することにある。
【課題を解決するための手段】
【００１４】
本発明に係る表示装置は、前側に表示面を有し、前面視矩形をなす表示部と、該表示部の後側の上下部にその上下端部が固定され、途中に壁体に取着される被取着部を有する壁掛具とを備えた表示装置において、前記壁掛具は、前記表示部の横方向に離隔して並置され、前記表示部を補強する二枚の補強板と、前記被取着部を上下に離隔して有し、前記補強板の夫々に取付けられる二つの壁掛具本体とを備えることを特徴とする。
【００１５】
この発明にあっては、表示部の上下長さに対応した長さに形成される補強板を被取着部に関係なく構成することができ、しかも、壁掛具本体はＶＥＳＡ規格の上下間隔に対応した長さで剛性を高めることができるため、被取着部を有する一枚の壁掛具を用いる場合は勿論、被取着部を有する二つの壁掛具を用いる場合に比べて壁掛具を小形、軽量にでき、壁掛具のコスト、ひいては表示装置のコストを低減できる。また、表示装置が大形化する場合においても、大きさが異なる表示装置間で二つの壁掛具本体を共通化できるため、壁掛具のコスト、ひいては表示装置のコストをより一層低減できる。
【００１６】
また、本発明に係る表示装置は、前記壁掛具本体の夫々は同一形状で、且つ長板状のベース部材と、前記表示部の横方向中心に対し前記ベース部材の夫々に対称的に設けられた前記被取着部とを有することを特徴とする。
【００１７】
この発明にあっては、大きさが異なる表示装置の壁掛具本体のベース部材を量産することができるため、壁掛具のコスト、ひいては表示装置のコストをより一層低減できる。
【００１８】
また、本発明に係る表示装置は、前記ベース部材の夫々は上下に離隔した二つの位置に、横方向に離隔して二つの貫通孔を有し、一方のベース部材の横方向一側の貫通孔に前記被取着部を設けてあり、他方のベース部材の横方向他側の貫通孔に前記被取着部を設けてあることを特徴とする。
【００１９】
この発明にあっては、横方向に離隔して設けられた二つの貫通孔の一方又は他方に被取着部を設けることにより、壁掛具本体を得ることができるため、大きさが異なる表示装置の壁掛具本体を量産することができ、壁掛具のコスト、ひいては表示装置のコストをより一層低減できる。
【００２０】
また、本発明に係る表示装置は、前記ベース部材の夫々は、前記被取着部が前記横方向の一側又は他側に設けてあることを示す識別部を有することを特徴とする。
【００２１】
この発明にあっては、識別部を目視することにより、二つの壁掛具本体を見分けることができるため、壁掛具本体の組込間違いを防ぐことができ、組込作業性を向上できる。
【００２２】
また、本発明に係る表示装置は、前記ベース部材の夫々は、横方向両側から後方へ延出され、且つ横方向両側で上下の長さが異なる二つの凸片と、該凸片の間に開設された孔とを有することを特徴とする。
【００２３】
この発明にあっては、表示部の横方向に離隔して並置される二つの壁掛具本体に上下の長さが異なる凸片が設けられているため、この凸片により適宜の部品の位置、及び方向性を決めることができ、この位置決めした状態で孔にボルトを螺着することにより適宜の部品を正確に取着することができる。
【００２４】
また、本発明に係る表示装置は、前記ベース部材の夫々は、上下端部間の横方向両側から後方へ延出された第１及び第２のリブと、該第１及び第２のリブの上下に離隔した二つの位置で欠除されたリブ欠除部と、該リブ欠除部の夫々の間で上下長さが異なる二つの凸片とを有することを特徴とする。
【００２５】
この発明にあっては、長板状のベース部材の幅方向両側にリブが設けられているため、ベース部材の剛性を高めることができ、しかも、両側のリブの一部が二つの凸片になっているため、凸片を有する割に構造を簡素にでき、凸片を有する壁掛具本体のコスト、ひいては表示装置のコストを低減できる。
【００２６】
また、本発明に係る表示装置は、前記ベース部材の夫々は、前記二つのリブ欠除部の横方向内側で前記第１及び第２のリブと反対方向へ窪み、前記二つのリブ欠除部の上下間隔より長い長さの補強凹溝を有することを特徴とする。
【００２７】
この発明にあっては、ベース部材のリブ欠除部側の剛性を補強凹溝により高めることができるため、リブ欠除部により凸片を設けたに拘らず高剛性の壁掛具本体を得ることができる。
【発明の効果】
【００２８】
以上詳述したように本発明によれば、表示部の上下長さに対応した長さに形成される補強板を被取着部に関係なく構成することができ、しかも、壁掛具本体はＶＥＳＡ規格の上下間隔に対応した長さで剛性を高めることができるため、被取着部を有する一枚の壁掛板を用いる場合は勿論、被取着部を有する二つの壁掛板を用いる場合に比べて壁掛具を小形、軽量にでき、壁掛具のコスト、ひいては表示装置のコストを低減できる。また、表示装置が大形化する場合においても、大きさが異なる表示装置間で二つの壁掛具本体を共通化できるため、壁掛具のコスト、ひいては表示装置のコストをより一層低減できる。
【００２９】
また、本発明によれば、大きさが異なる表示装置の壁掛具本体のベース部材を量産することができるため、壁掛具のコスト、ひいては表示装置のコストをより一層低減できる。
【００３０】
また、本発明によれば、横方向に離隔して設けられた二つの貫通孔の一方又は他方に被取着部を設けることにより、壁掛具本体を得ることができるため、大きさが異なる表示装置の壁掛具本体を量産することができ、壁掛具のコスト、ひいては表示装置のコストをより一層低減できる。
【００３１】
また、本発明によれば、識別部を目視することにより、二つの壁掛具本体を見分けることができるため、壁掛具本体の組込間違いを防ぐことができ、組込作業性を向上できる。
【００３２】
また、本発明によれば、表示部の横方向に離隔して並置される二つの壁掛具本体に上下の長さが異なる凸片が設けられているため、この凸片により適宜の部品の位置、及び方向性を決めることができ、この位置決めした状態で孔にボルトを螺着することにより適宜の部品を正確に取着することができる。
【００３３】
また、本発明によれば、長板状のベース部材の幅方向両側にリブが設けられているため、ベース部材の剛性を高めることができ、しかも、両側のリブの一部が二つの凸片になっているため、凸片を有する割に構造を簡素にでき、凸片を有する壁掛具本体のコスト、ひいては表示装置のコストを低減できる。
【００３４】
また、本発明によれば、ベース部材のリブ欠除部側の剛性を補強凹溝により高めることができるため、リブ欠除部により凸片を設けたに拘らず高剛性の壁掛具本体を得ることができる。
【発明を実施するための最良の形態】
【００３５】
以下本発明をその実施の形態を示す図面に基づいて詳述する。図１は本発明に係る表示装置の構成を示す正面側の斜視図、図２は表示装置の構成を示す背面側の斜視図、図３は表示部の構成を示す模式的分解斜視図、図４はキャビネットを取外した構成を示す背面側の斜視図、図５はキャビネットを取外した構成を示す背面図、図６はキャビネット及び壁掛具本体を取外した構成を示す背面図、図７はキャビネット及び壁掛具本体を取外した構成を示す背面側斜視図である。
【００３６】
図示した表示装置はテレビ画像を表示する表示面１ａを前側に有し、前面視矩形をなす表示部１と、該表示部１の後側の上下部にその上下端部が固定され、途中に壁掛具に取着される四つの被取着部３１を有する壁掛具Ａと、被取着部３１の夫々に対応する四つの貫通孔４ａを有し、その外周部が表示部１に取付けられて表示部１の後側及び壁掛具Ａを覆うキャビネット４と、該キャビネット４内を冷却するファン５とを備える横長の液晶テレビである。
【００３７】
表示部１は前側に表示面１ａを有する液晶のパネル１１と、該パネル１１の後側に配置された光学シート１２と、バックライト部１３と、電源基板等のテレビ基板（図示せず）と、これらパネル１１等の部品を支持した支持体１４とを備える。
【００３８】
支持体１４は直方体をなす横長の枠部材１４ａと、周縁部が枠部材１４ａに結合され該枠部材１４ａの後側端を閉鎖する蓋板１４ｂとを有する。枠部材１４ａの上部及び下部で、且つ長手方向中央側の二箇所に二個一組の螺子孔１５，１５が設けられている。
【００３９】
壁掛具Ａは、表示部１の横方向に離隔して並置される二つの補強板２，２と、その上下方向の途中が補強板２，２と反対方向へ凸になる箇所に被取着部３１，３１を上下に離隔して有し、上下端部が補強板２，２に衝合されて該補強板２，２の夫々に取付けられる二つの壁掛具本体３Ｌ，３Ｒとを備え、いずれも金属板を成形してなる。
【００４０】
補強板２，２は表示部１の上下長さとほぼ等しい長さを有し、且つ幅方向両側部が板厚方向へ凸となるように成形された金属板からなり、上端部及び下端部に、螺子孔１５，１５に対応する挿通孔２１，２１が設けられており、該挿通孔２１，２１に挿通するボルト６，６を螺子孔１５，１５に螺着することにより補強板２，２の上端部及び下端部が表示部１に固定されている。また、補強板２，２の上下方向の途中に、壁掛具本体３Ｌ，３Ｒの下端部を固定するための二つの螺子孔２２，２２が横方向に離隔して設けられている。
【００４１】
図８は壁掛具本体の構成を示す斜視図、図９は壁掛具本体の構成を示す背面図、図１０は図９のX −X 線の拡大断面図、図１１は図９のXI−XI線の拡大断面図である。
壁掛具本体３Ｌ，３ＲはＶＥＳＡ規格により決められた被取着部３１の上下間隔（例えば、２００mm）より長い長さを有し、且つ同一形状に成形された長板状のベース部材３２Ｌ，３２Ｒと、該ベース部材３２Ｌ，３２Ｒの夫々に対称に取付けられた被取着部３１，３１とを有し、ベース部材３２Ｌ，３２Ｒの幅方向両側部に、後側へ延出されたリブ３２ａ，３２ｂが夫々設けられている。
【００４２】
ベース部材３２Ｌ，３２Ｒは、長手方向に離隔した二箇所に二個一組の貫通孔３３，３３を有し、上下方向の途中が補強板２，２と反対方向へ凸となる長板部３２ｃと、該長板部３２ｃの両端から板厚方向へ延出された延出板部３２ｄ，３２ｄと、該延出板部３２ｄ，３２ｄから長板部３１ｃの長手方向外方へ延出された固定板部３２ｅ，３２ｅとを有し、挿通孔２１，２１に対応する挿通孔３４，３４が固定板部３２ｅ，３２ｅの夫々に設けられている。
【００４３】
長手方向二箇所の貫通孔３３，３３は長板部３２ｃの横方向に離隔して設けられており、一方のベース部材３２Ｌの横方向一側の貫通孔３３，３３に被取着部３１，３１が取付けられており、他方のベース部材３２Ｒの横方向他側の貫通孔３３，３３に被取着部３１，３１が取付けられている。また、長板部３２ｃには、貫通孔３３，３３の夫々の近傍に、夫々の貫通孔３３，３３の一方に被取着部３１が取付けられ、他方に被取着部３１が取付けられていることを示す識別部Ｌ、Ｒが成形型により刻印されている。
【００４４】
ベース部材３２Ｌ，３２Ｒの上部のリブ３２ａ，３２ａには、長手方向に離隔して二つのリブ欠除部３２ｆ，３２ｇを設け、該リブ欠除部３２ｆ，３２ｇの間に、ベース部材３２Ｌ，３２Ｒの横方向両側で上下の長さが異なる第１及び第２の凸片３２ｈ，３２ｉを設けてあり、また、凸片３２ｈ，３２ｉの間に複数の螺子孔３５，３５が設けられている。また、ベース部材３２Ｌ，３２Ｒの上部で、且つリブ欠除部３２ｆ，３２ｇの間には、リブ３２ａ，３２ａと反対方向へ窪み、リブ欠除部３２ｆ，３２ｇの上下間隔より長い長さの補強凹溝３２ｊ，３２ｊが設けられている。
【００４５】
被取着部３１は、内側に螺子孔３１ａを有し、外側に非円形の嵌入部３１ｂを有する有底の筒体からなり、一方の壁掛具本体３Ｌでは横方向一側の貫通孔３３，３３に嵌入部３１ｂが嵌入固定され、他方の壁掛具本体３Ｒでは横方向他側の貫通孔３３，３３に嵌入部３１ｂが嵌入固定されている。このように横方向一側、他側に設けられた被取着部３１，３１は、識別部Ｌ、Ｒにより横方向一側又は他側であることが標示される。
【００４６】
図１２はファンの構成を示す正面図である。ファン５は、電動モータと、該電動モータの出力軸に直結され、壁掛具本体３Ｌ，３Ｒ間に配置される羽根車５１と、該羽根車５１を回転自在に支持する支持板５２とを備える。支持板５２の中央部は羽根車５１に対応する貫通孔５２ａを有し、両側部は長板部３２ｃ，３２ｃと対向する取付片５２Ｌ，５２Ｒを有する。また、一方の取付片５２Ｌには第１の凸片３２ｈが嵌入される第１の長孔５２ｂと、螺子孔３５に対応する挿通孔５２ｃと、第１の長孔５２ｂを一方の取付片５２Ｌに設けてあることを示す識別部Ｌとが設けられており、他方の取付片５２Ｒには第２の凸片３２ｉが嵌入される第２の長孔５２ｄと、螺子孔３５に対応する挿通孔５２ｅと、第２の長孔５２ｄを他方の取付片５２Ｒに設けてあることを示す識別部Ｒとが設けられている。
【００４７】
以上のように構成された表示装置は、支持体１４の蓋板１４ｂの外面に電源基板等のテレビ基板が装着され、また、表示部１の裏側の横方向に離隔した二箇所に補強板２，２が並置される。この補強板２，２は、下端部の挿通孔２１，２１に挿通するボルト６，６を支持体１４の下部の螺子孔１５，１５に緊締することにより下端部が表示部１に固定される。このように下端部が固定された補強板２，２の夫々に壁掛具本体３Ｌ，３Ｒが衝合され、壁掛具本体３Ｌ，３Ｒ及び補強板２，２の上端部の夫々の挿通孔３４，３４、２１，２１にボルト６，６を挿通し、該ボルト６，６を支持体１４の上部の螺子孔１５，１５に緊締することにより壁掛具本体３Ｌ，３Ｒ及び補強板２，２の上端部が表示部１に夫々固定される。また、壁掛具本体３Ｌ，３Ｒの下端部の夫々の挿通孔３４，３４にボルト６，６を挿通し、該ボルト６，６を補強板２，２の螺子孔２２，２２に緊締することにより壁掛具本体３Ｌ，３Ｒの下端部が補強板２，２に夫々固定される。
【００４８】
これにより、ＶＥＳＡ規格の上下間隔、及び横方向間隔で四つの被取着部３１を有する表示装置を構成することができる。このとき、被取着部３１を壁掛具本体３Ｌ，３Ｒに設けてあるため、高剛性を有する壁掛具本体３Ｌ，３Ｒを比較的小形に形成することができ、また、補強板２，２は被取着部３１と関係なく形成することができるため、表示装置が大形化したとしても補強板２，２の長さを長くすることにより対応することができる。また、横方向一側又は他側に被取着部３１を有する壁掛具本体３Ｌ，３Ｒの夫々には、被取着部３１の位置を示す識別部Ｌ、Ｒが設けられているため、識別部Ｌ、Ｒを目視することにより、壁掛具本体３Ｌ，３Ｒの組込方向の間違いを防ぐことができ、壁掛具本体３Ｌ，３Ｒを適正位置に正確に取着することができ、組込作業性を向上できる。また、壁掛具本体３Ｌ，３Ｒのリブ欠除部３２ｆ，３２ｇに対応する箇所には補強凹溝３２ｊ，３２ｊが設けられているため、リブ欠除部３２ｆ，３２ｇによる壁掛具本体３Ｌ，３Ｒの強度不足を防ぐことができる。
【００４９】
そして、テレビ基板冷却用のファン５を壁掛具本体３Ｌ，３Ｒに取着する。このファン５は、羽根車５１を壁掛具本体３Ｌ，３Ｒ間に配置し、一方の取付片５２Ｌの第１の長孔５２ｂに第１の凸片３２ｈを嵌入し、他方の取付片５２Ｒの第２の長孔５２ｄに第２の凸片３２ｉを嵌入し、挿通孔５２ｃ，５２ｅに挿通するボルト７，７を螺子孔３５，３５に緊締することによりファン５を取付けることができる。また、第１及び第２の長孔５２ｂ，５２ｄを有する取付片５２Ｌ，５２Ｒには、ファン５の取付方向を示す識別部Ｌ、Ｒが設けられているため、識別部Ｌ、Ｒを目視することにより、ファン５の組込方向の間違いを防ぐことができ、ファン５を適正位置に正確に取着することができ、組込作業性を向上できる。
【００５０】
このようにファン５が取付けられた後、キャビネット４が表示部１の外周部に複数本のボルトにより取付けられ、該キャビネット４の四つの貫通孔４ａに被取着部３１が位置する。図１３は表示装置を壁体の掛設体に取着した状態の取着箇所の拡大断面図である。表示装置の四つの被取着部３１に対応する挿通孔９ａを有する掛設体９が壁体に固定され、該掛設体９の挿通孔９ａに挿通されるボルト１０を被取着部３１の螺子孔３１ａに螺着することにより表示装置を壁掛けすることができる。
【００５１】
尚、本発明に係る表示装置は液晶テレビ等の液晶表示装置である他、プラズマ表示装置、ＥＬディスプレィ等の表示装置であってもよい。
【図面の簡単な説明】
【００５２】
【図１】本発明に係る表示装置の構成を示す正面側の斜視図である。
【図２】本発明に係る表示装置の構成を示す背面側の斜視図である。
【図３】本発明に係る表示装置の表示部の構成を示す模式的分解斜視図である。
【図４】本発明に係る表示装置のキャビネットを取外した構成を示す背面側の斜視図である。
【図５】本発明に係る表示装置のキャビネットを取外した構成を示す背面図である。
【図６】本発明に係る表示装置のキャビネット及び壁掛具本体を取外した構成を示す背面図である。
【図７】本発明に係る表示装置のキャビネット及び壁掛具本体を取外した構成を示す背面側斜視図である。
【図８】本発明に係る表示装置の壁掛具本体の構成を示す斜視図である。
【図９】本発明に係る表示装置の壁掛具本体の構成を示す背面図である。
【図１０】図９のX −X 線の拡大断面図である。
【図１１】図９のXI−XI線の拡大断面図である。
【図１２】本発明に係る表示装置のファンの構成を示す正面図である。
【図１３】本発明に係る表示装置を壁体の掛設体に取着した状態の取着箇所の拡大断面図である。
【符号の説明】
【００５３】
１    表示部
１ａ  表示面
２    補強板
３Ｌ，３Ｒ  壁掛具本体
３１  被取着部
３２Ｌ，３２Ｒ  ベース部材
３２ｆ，３２ｇ  リブ欠除部
３２ｈ，３２ｉ  凸片
３２ｊ  補強凹溝
３３  貫通孔
３５  螺子孔（孔）
Ａ    壁掛具
Ｌ，Ｒ  識別部
【図１】
2007206646.tif 000003
【図２】
2007206646.tif 000004
【図３】
2007206646.tif 000005
【図４】
2007206646.tif 000006
【図５】
2007206646.tif 000007
【図６】
2007206646.tif 000008
【図７】
2007206646.tif 000009
【図８】
2007206646.tif 000010
【図９】
2007206646.tif 000011
【図１０】
2007206646.tif 000012
【図１１】
2007206646.tif 000013
【図１２】
2007206646.tif 000014
【図１３】
2007206646.tif 000015